(57)【要約】【課題】  内蔵抵抗器に発生するデントライトに起因するＢストレーの発生を抑制し、Ｂストレーによって生じる管内スパークを防止して、精細度の高い画像表示と良好な耐電圧特性を有するカラ−陰極線管を提供する。【解決手段】  複数の電極を固定保持する絶縁支持棹９と、この絶縁支持棹９の外側に配置され表面の抵抗体層２０を覆って形成された絶縁皮膜層２３を有する内蔵抵抗器１８と、前記絶縁支持棹９と内蔵抵抗器１８とを取り巻き端部を電極に固定した導電体１６とを有し、前記抵抗体層２０の抵抗比で分圧した中間電圧を前記電極に印加する構成のカラー陰極線管で、前記内蔵抵抗器１８は前記導電体１６と対応する部分の近傍で前記抵抗体層２０と同一面で前記絶縁皮膜層２３で覆われて前記中間電圧に略等しい電位の島状電極２１を備えた。【選択図】        図１
2005093131.tif 000002
【特許請求の範囲】
【請求項１】
陰極と複数のグリット電極及び陽極とを有する電極群と、この電極群を所定の順序と間隔で固定保持する絶縁支持棹と、この絶縁支持棹の外側に配置され前記絶縁支持棹に対向する側の表面に絶縁皮膜層に覆われて配置された抵抗体層を備えた内蔵抵抗器と、この内蔵抵抗器に装着され前記抵抗体層の両端部及び中間部に一端を接続し他端を前記電極又は接地接続する複数の引出し端子と、前記絶縁支持棹と内蔵抵抗器とを取り巻いて前記電極に端部を固定した導電体とを有し、前記複数の引出し端子のうちの前記中間部に接続された中間引出し端子を前記陽極に近接するグリット電極に接続し、このグリット電極に前記陽極に印加する陽極電圧を前記抵抗体層の抵抗比で分圧した中間電圧を印加する電子銃を備えたカラー陰極線管であって、
前記内蔵抵抗器は、前記導電体と対応する部分の近傍で前記抵抗体層と同一面に前記中間電圧に略等しいかもしくはそれ以上の電位の島状電極を備えたことを特徴とするカラー陰極線管。
【請求項２】
前記島状電極は、引出線を介して前記中間引出し端子と接続していることを特徴とする前記請求項１に記載のカラー陰極線管。
【請求項３】
前記島状電極は、引出線を介して前記中間引出し端子より高圧側の前記抵抗体層と接続していることを特徴とする請求項１に記載のカラー陰極線管。
【請求項４】
前記島状電極は、前記絶縁皮膜層に覆われていることを特徴とする前記請求項１乃至請求項３の何れかに記載のカラー陰極線管。
【請求項５】
前記引出線は、前記抵抗体層形成材より低抵抗材からなることを特徴とする前記請求項２又は請求項３に記載のカラー陰極線管。
【発明の詳細な説明】
【技術分野】
【０００１】
本発明は、カラー陰極線管に係り、特にそのネック部に収容する電子銃を構成する複数の電極に抵抗比による異なる電圧を印加するための内蔵抵抗器を備えたカラー陰極線管に関する。
【背景技術】
【０００２】
テレビ受像機や情報端末のモニター管として用いられているカラー陰極線管は、真空外囲器の一部を構成するネック管内に複数の電子ビームを出射する電子銃を収容し、パネル部の内面に複数色の蛍光体膜を塗布した蛍光面（スクリーン画面）を有している。そして、真空外囲器の外部に電子銃からの電子ビームを蛍光面上に二次元走査して所要の画像を表示する偏向ヨークを備えている。
【０００３】
また、多くのカラー陰極線管では、蛍光面に近接して設置した色選択電極であるシャドウマスクを備え、電子銃から出射する複数の電子ビームをそれぞれの蛍光体膜に射突させてカラー画像を形成するようになっている。
【０００４】
蛍光面に形成されるカラー画像を、スクリーン画面全域にわたって良好なものとするために、陽極電圧以外の高電圧を電子ビームを集束する複数の電極に印加する方式の分圧用内蔵抵抗器を備えた電子銃を具備したカラー陰極線管が知られている。
【０００５】
図１０は従来の分圧用内蔵抵抗器を備えた電子銃の一例の模式側面図、図１１は図１０の模式底面図である。３本の電子ビームをインラインに出射する電子銃は、最高電圧（陽極電圧）が印加される陽極Ｐと、内蔵抵抗器で分圧された中間電圧が供給される中間グリッド電極ＧＨと、電子ビームを出射するカソードＫと、カソードＫから出射された電子ビームを加速、集束するための複数のグリッド電極ＧＮ等を備え、これらの各電極は、それらの外縁の一部を一対の絶縁支持棹１０９に埋設して所定の順序と所定の間隔で固定されている。
【０００６】
又、絶縁支持棹１０９の一方には、内蔵抵抗器１１８が絶縁支持棹１０９の外側、すなわち図示しないネック部内壁面側に重畳して取り付けられている。この内蔵抵抗器１１８は、セラミックを好適とする絶縁基板１１９の片面、すなわちこの絶縁板１１９の前記絶縁支持棹１０９側の表面に、所定の抵抗特性を持った抵抗材料（例えば金属酸化物、含酸化ルテニウム等）をパターン印刷し、乾燥・焼成して所定の抵抗特性を持った抵抗体層１２０を備えている。
【０００７】
この抵抗体層１２０は、その両端部及び中間部に夫れ夫れ接続用の引出し端子１１３、１１４、１１５を有し、これらの引出し端子のうち一端側の高圧引出し端子１１３は陽極電圧が印加される陽極Ｐに接続される。又、中間部の中間引出し端子１１４は中間グリッド電極ＧＨに接続され、陽極電圧を抵抗比で分圧した中間電圧が中間グリッド電極ＧＨに供給される。そして、他端側の接地引出し端子１１５はアースに接続される。
【０００８】
又、抵抗体層１２０を絶縁基板１１９上に形成した後、その周端部１１９ａを除いて抵抗体層１２０を覆うように、ガラス、例えば、ホウケイ（硼珪）酸鉛系ガラスからなる絶縁皮膜層１２３で被覆してある。又、絶縁基板１１９の背面（他面）側にも同様な絶縁皮膜層１２３を端子部及び周端部１１９ａを除いた略全面に形成してある。
【０００９】
一方、金属線からなる導電体１１６は、その一端を前記グリッド電極ＧＮのうち前記中間グリッド電極ＧＨより低電位の一つのグリッド電極ＧＮ３に溶接固定し、他端を重畳されている絶縁支持棹１０９及び内蔵抵抗器１１８を取り巻いて前記一端の接続個所とは絶縁支持棹１０９を挟んだ反対側でグリッド電極ＧＮ３に接続している。この導電体１１６は、ニッケル又はステンレス材が用いられ、完成した電子銃組立体をネック部内に封入後、管外から高周波加熱して導電体１１６に含有される金属の一部を蒸発させ、ネック部内壁面、絶縁支持棹１０９及び内蔵抵抗器１１８等に金属薄膜を形成し、動作時に安定した電位をネック部内壁に形成する役目を担っている。又、この導電体１１６は、管内で同電位電極相互を接続する金属線を延長して用いられる構成も知られており、更には一端のみが固定され他端は開放された構成も用いられている。
【００１０】
なお、この種の内蔵抵抗器を備えたカラー陰極線管を開示したものとしては、例えば中間電位の端子ｔ３から新規に電極部ｔ４を分岐し、この新規の電極部ｔ４をシールドワイヤ３５の対向位置に配置する構成が特許文献１に開示されている。又、特許文献２には抵抗パタ−ンを覆うオーバコートガラスのナトリウム濃度を規定してイオンマイグレーションによるデンドライトの成長を阻止して抵抗パターン間の導通を防止する構成が開示されている。更に、内蔵抵抗器のネック対向面側でシールドワイヤに近接して金属薄膜を設け、ノッキング効果を増大して対電圧特性を向上する構成が特許文献３に開示されている。
【特許文献１】特開平７−９４１１７号公報
【特許文献２】特開平１１−１９１５０３号公報
【特許文献３】特開２００１−１５５６５９号公報
【発明の開示】
【発明が解決しようとする課題】
【００１１】
前述した図１０、図１１に示すような内蔵抵抗器１１８を備えたカラー陰極線管では、この内蔵抵抗器１１８を用いて陽極電圧を抵抗比で分圧し、陽極電圧に次いで高電圧の中間電圧を中間グリッド電極ＧＨに印加することが可能となり、これにより電子銃の主レンズの等価口径を拡大してビームスポット径を縮小でき、解像度を向上することが可能となる等の特徴を備えている。しかしながら、内蔵抵抗器を用いる構成では、前述した特許文献でも開示されているように、内蔵抵抗器にイオンマイグレーションによるデンドライトの発生、成長という現象がみられる。
【００１２】
デンドライトが発生、成長すると、これに起因して管内スパークが発生し、これがカラー陰極線管を実装したモニタにおいて画面の点滅やスパーク音の発生、更にはモニタの損傷等を誘発する恐れがあり、その解決策が求められている。これを図面を用いて説明すると、図１０に示す電子銃では、内蔵抵抗器１１８の導電体１１６が配置された付近の絶縁皮膜層１２３内でデンドライトＤＲが発生し、その一部がネック内壁に近い周端部１１９ａ付近迄はみ出し、これが時間の経過と共に前記周端部１１９ａを高圧側、すなわち陽極Ｐ方向に向って成長する現象がみられる。内蔵抵抗器の抵抗体層では、電界が発生し、そこに電子の供給源があると、イオンマイグレーションという現象が起きることは前述した特許文献でも開示されている。
【００１３】
一方、電子銃には絶縁支持棹１０９やネック部内の電位を安定させて耐電圧特性を向上するため前述した如く導電体１１６が配置され、この導電体１１６をスパッタさせている。この導電体１１６は、内蔵抵抗器１１８の外側を取り巻き、両者は接触するか極めて接して配置され、しかもこの導電体１１６は集束電極や加速電極に接続されており、この接続された電極の電位が印加されていてこれが電子の供給源となり得る。
【００１４】
更に、この導電体１１６の配置された部位では、ネック部内壁の電位が導電体１１６の電位より高くなっており、この電位差も関連して導電体１１６から電子が発生し、これが前記イオンマイグレーションによるデンドライトＤＲ発生の一因となっている。発生したデンドライトＤＲは導電性があるため導電体１１６と略同電位となるが、デンドライトＤＲが高圧側に向って更に成長すると、その先端部分ではネック部内壁電位との電位差が導電体１１６の配置部位より更に大きくなる。
【００１５】
更に、内蔵抵抗器１１８の抵抗体層１２０部分は絶縁皮膜層１２３で覆われているが、その外側の周端部１１９ａは皮膜層が無く絶縁基板表面が露呈している。この周端部１１９ａ迄被覆するとこの部分の絶縁皮膜層１２３の欠けの発生等の問題も有り、周端部１１９ａには絶縁皮膜層１２３は存在しない構成が採られている。これら諸々の原因から、デンドライトＤＲの発生を完全に阻止することは非常に困難で、結果的にデンドライトＤＲの陽極側の前記先端部分からネック内壁に向かってＢストレーが発生し、これがスパークを誘発し、前述した画面の点滅やスパ−ク音の発生、更にはモニタの損傷等を誘発する恐れがあり、その解決策が求められている。
【００１６】
前述した特許文献１では、金属環３５（前記導電体１６に相当）と対向する位置に金属環３５と同電位の電極部ｔ４を配置してマイグレーションの発生を抑えて内蔵抵抗器の破損を防止しようとする技術が開示されている。ところが、金属環３５が電子源となり得ることは従来と同じで、しかも電極部ｔ４は金属環３５と同電位のため、周端部１１９ａを陽極側に成長するデンドライトＤＲの先端部分の延伸を阻止することはこの特許文献１の技術でも困難であり、更なる対策を必要としている。又、オーバコートガラスのナトリウム濃度を規定することは価格面で問題となり、同様に対策を必要としている。
【００１７】
本発明の目的の一つは、上記従来技術の問題点を解消して、精細度の高い画像表示と優れた耐電圧特性を有する内蔵抵抗器を持つ電子銃を備えたカラー陰極線管を提供することにある。
【課題を解決するための手段】
【００１８】
上記目的を達成するために、本発明は内蔵抵抗器に、この内蔵抵抗器の導電体と対応する部分の近傍で、かつ抵抗体層と同一面に、中間電圧に略等しい電位の島状電極を配置した構成を特徴とする。以下、本発明のカラー陰極線管の代表的な構成を記述する。
【００１９】
陰極と複数のグリット電極及び陽極とを有する電極群と、この電極群を所定の順序と間隔で固定保持する絶縁支持棹と、この絶縁支持棹の外側に配置され前記絶縁支持棹に対向する側の表面に絶縁皮膜層に覆われて配置された抵抗体層を備えた内蔵抵抗器と、この内蔵抵抗器に装着され前記抵抗体層の両端部及び中間部に一端を接続し他端を前記電極又は接地接続する複数の引出し端子と、前記絶縁支持棹と内蔵抵抗器とを取り巻いて前記電極に端部を固定した導電体とを有し、前記複数の引出し端子のうちの前記中間部に接続された中間引出し端子を前記陽極に近接するグリット電極に接続し、このグリット電極に前記陽極に印加する陽極電圧を前記抵抗体層の抵抗比で分圧した中間電圧を印加する電子銃を備えたカラー陰極線管であって、
前記内蔵抵抗器は、前記導電体と対応する部分の近傍で前記抵抗体層と同一面に前記中間電圧に略等しいかもしくはそれ以上の電位の島状電極を備えた構成とした。
【００２０】
又、本発明によるカラー陰極線管は、前記島状電極を引出線を介して前記中間引出し端子と接続することができ、更に島状電極を引出線を介して前記中間引出し端子より高圧側の前記抵抗体層と接続することができる。
【００２１】
更に、本発明によるカラー陰極線管は、前記島状電極は絶縁皮膜層で被覆することができ、又、前記引出線は前記抵抗体層形成材より低抵抗材とすることができる。
【００２２】
なお、本発明は上記構成に限定されるものではなく、本発明の技術思想を逸脱することなく、種々の変更が可能である。
【発明の効果】
【００２３】
以上説明したように、本発明によれば、内蔵抵抗器の導電体に対応する部分の近傍で抵抗体層が形成されたと同一面に絶縁皮膜で覆われて中間電圧に略等しいかもしくはそれより高い電位の島状電極を配置した構成とすることにより、デンドライトの管内での露呈を防止してストレー源を無くし、スパークの発生を抑制して優れた耐電圧特性と精細度の高い優れた画像表示を可能にしたカラー陰極線管を提供できる。
【発明を実施するための最良の形態】
【００２４】
以下、本発明の実施の形態につき、実施例の図面を参照して詳細に説明する。図１は本発明のカラー陰極線管に実装される電子銃に用いられる内蔵抵抗器の一実施例の平面図、図２は図１の背面図、図３は図１のＡ−Ａ線断面図、図４は図１のＢ−Ｂ線断面図である。図１乃至図４において、電子銃装着前の内蔵抵抗器１８は、セラミックを好適とし、例えば厚さＴ：０．６３５ｍｍ、幅Ｗ：５ｍｍ、長さＬ：５８ｍｍのアルミナ基板（Ａｌ：９６％以上）からなる絶縁基板１９の片面に、所定の抵抗特性を持った抵抗材料（金属酸化物、含酸化ルテニウム等）を例えばスクリーン印刷方法によりパターン印刷し、乾燥・焼成して所定の抵抗特性を持つ抵抗体層２０を備えている。
【００２５】
そして、この抵抗体層２０は、複数個所に分散されて配置され高圧側で管軸（図示せず）に対して蛇行する蛇行部２０ａと、低圧側の蛇行部２０ｂと、管軸に対して略平行に延在する直線部２０ｃを主体として構成されており、端部で高圧引出し端子１３、接地引出し端子１５と、又中間部で中間引出し端子１４と夫れ夫れ接続されている。そして、一端側の高圧引出し端子１３は陽極電圧が印加される陽極に接続され、中間部の中間引出し端子１４は中間グリッド電極に接続され、又他端側の接地引出し端子１５はアースに接続される。
【００２６】
すなわち、一端部の高圧引出し端子１３には電子銃の中心軸と直角な方向に張り出した接続片１３ａを端子部１３ｂにかしめ等で固定して取り付けてあり、この接続片１３ａを陽極１に接続する。又、中間部の中間引出し端子１４からは接続片１４ａが端子部１４ｂにかしめ等で固定して取り付けて張り出してあり、この接続片１４ａを中間グリッド電極に接続して、陽極電圧を抵抗比で分圧した高電圧が中間電極に供給される。
【００２７】
そして、他端部の接地引出し端子１５からは、接続片１５ａを端子部１５ｂにかしめ等で固定して取り付けて張り出して延長するかもしくは他の部材を介してステムピンの何れかに接続し、このステムピンを介して陰極線管の外部で接地などの電位（以下、接地電位と言う）に接続される。又、前記絶縁基板１９の前記中間引出し端子１４と接地引出し端子１５間で、かつ幅Ｗの略中央部には島状電極２１が配置され、この島状電極２１は引出線２２を介して中間引出し端子１４と接続しており、この構成では動作中は中間電圧に略等しい電圧が印加される。更に、引出線２２を中間引出し端子１４を迂回して抵抗体層２０の高圧側の蛇行部２０ａ迄延長し、島状電極２１に前記中間電圧より高い電圧を印加してもよい。
【００２８】
この島状電極２１は、内蔵抵抗器１８を電子銃に取り付けた際、内蔵抵抗器１８及び絶縁支持棹を取り巻いて配置される仮想線で示す導電体１６と略対応する位置、もしくはそれより高圧側に配置される。島状電極２１及び引出線２２は、前記抵抗体層２０の形成時に三者を同一材料で同時に形成することも可能である。又、引出線２２は前記抵抗体層２０の形成材料より低抵抗材料を用いれば島状電極２１の電位低下を軽減する効果が期待できる。
【００２９】
更に、これらの島状電極２１と引出線２２及び前記抵抗体層２０を、第１の絶縁皮膜層２３ａで被覆している。Ｔ１はこの被膜の厚さを示す。この第１の絶縁皮膜層２３ａはガラス、例えば、ホウケイ（硼珪）酸鉛系ガラス等から形成されており、かつこの第１の絶縁皮膜層２３ａは内蔵抵抗器１８をカラ−陰極線管に実装した際に絶縁支持棹と対向配置される側面となる。又、この第１の絶縁皮膜層２３ａは、前記三つの引出し端子１３〜１５と絶縁基板１９の周縁部１９ａには被覆してない。
【００３０】
一方、前記絶縁基板１８の背面（裏面）側にも第２の絶縁皮膜層２３ｂが膜厚Ｔ２で形成されており、この第２の絶縁皮膜層２３ｂがネック部内壁面と対向配置される側面となる。なお、この第２の絶縁皮膜層２３ｂは第１の絶縁皮膜層２３ａと同一材料とすることができ、更にはこの第２の絶縁皮膜層２３ｂは不要であれば省略することも可能である。
【００３１】
図５は本発明のカラー陰極線管の一実施例を示すネック部の要部側面図、図６はネック部の管軸と直交する垂直方向断面図、図７は図６のＣ部を拡大して示す断面図で、前述した各図と同じ部分には同一記号を付してある。図５乃至図７において、３本の電子ビームをインラインに出射する電子銃２４は、カラー陰極線管の真空外囲器１０のネック部３２内に収容されている。
【００３２】
この電子銃２４は、最高電圧（陽極電圧）が印加される陽極（第６グリッド電極）１と、内蔵抵抗器で分圧され陽極電圧の例えば５０％程度の中間電圧が供給される中間グリッド電極２と、電子ビームを出射するカソードＫと、カソードＫから出射された電子ビームを集束するためのレンズを構成する複数電極からなる第５グリッド電極群３と、第４グリッド電極４と、第３グリッド電極５と、第２グリッド電極６と、第１グリッド電極７等を備えている。各電極１〜７は、それらの外縁の一部を一対の絶縁支持棹９に埋設して所定の順序と所定の間隔で固定されている。さらに、第６グリッド電極１にはシールドカップ８が取り付けられており、このシールドカップ８の前方側面に導通スプリング１１の一端が溶接されている。
【００３３】
真空外囲器１０の内壁には、ファンネル部からネック部側へ延びる黒鉛等の内装導電膜１０ａが塗布されており、この内装導電膜１０ａに導通スプリング１１の他端を弾接させて第６グリッド電極１にファンネル部に封着された高圧端子を介して陽極電圧を供給している。
【００３４】
上記電子銃２４の一対の絶縁支持棹９の一方には、前述した構成の内蔵抵抗器１８が絶縁支持棹９の外側、すなわちネック部３２の内壁面３２ａ側に重畳して取り付けられている。この取り付けは、内蔵抵抗器１８の抵抗体層２０、島状電極２１等及びこれらを覆う第１の絶縁皮膜層２３ａ側が絶縁支持棹９と対向配置される構成となっており、背面側の第２の絶縁皮膜層２３ｂをネック部内壁面３２ａと対向配置している。
【００３５】
又、内蔵抵抗器１８は両端部及び中間部に夫れ夫れ接続用の引出し端子１３、１４、１５を有し、一端側の高圧引出し端子１３は陽極電圧が印加される第６グリッド電極１に接続され、中間部の中間引出し端子１４は中間グリッド電極２に接続され、又他端側の接地引出し端子１５はアースに接続される。すなわち、端部の高圧引出し端子１３には電子銃の中心軸と直角な方向に張り出した接続片１３ａが取り付けてあり、この接続片１３ａを第６グリッド電極１に接続する。又、中間部の中間引出し端子１４からは接続片１４ａが張り出してあり、この接続片１４ａを中間グリッド電極２に接続して、陽極電圧を抵抗比で分圧した高電圧の中間電圧が中間電極２に供給される。
【００３６】
又、この中間引出し端子１４には抵抗体層２０と同一面に配置された島状電極２１が引出線を介して接続され、この島状電極２１に前記中間電極２に供給される電圧と略同一の中間電圧が印加される。この島状電極２１は後述する導電体１６が配置される近傍に対応して配置されている。そして、他端部の接地引出し端子１５からは、接続片１５ａを延長するかもしくは他の部材を介してステムピン４５の何れかに接続し、このステムピン４５を介して陰極線管の外部で接地などの電位（以下、接地電位と言う）に接続される。
【００３７】
一方、金属線からなる導電体１６は、その一端を第５グリッド電極群３に溶接固定し、他端をネック部内壁面３２ａと内蔵抵抗器１８間の空間を通って、重畳されている絶縁支持棹９及び内蔵抵抗器１８を取り巻いて前記一端の接続個所とは絶縁支持棹９を挟んだ反対側で第５グリッド電極群３に接続している。又、内蔵抵抗器１８を有しない他方の絶縁支持棹９も同様に導電体１６で取り巻いている。この導電体１６と前記島状電極２１とは、管軸と直交する垂直方向で略同一面か、もしくは図５に示すように島状電極２１が高電位側に配置される構成となっている。
【００３８】
導電体１６は、ニッケル又はステンレスが用いられ、完成した電子銃組立体をネック部内に封入後、管外から高周波加熱して導電体１６に含有される金属の一部を蒸発させ、ネック部内壁面３２ａ、絶縁支持棹９及び内蔵抵抗器１８等に金属薄膜１６ａを形成し、動作時に安定した電位をネック部内壁に形成する役目を担っている。
【００３９】
又、導電体１６は、管内で同電位電極相互を接続する金属線を延長して用いられる構成も知られており、更には一端のみが固定され他端は開放された構成も用いられている。
【００４０】
次に、図８は本発明のカラー陰極線管の他の実施例の全体構成例を説明する模式断面図である。図８において、４１はパネル部、４２は蛍光体スクリーン、３２は電子銃を収納するネック部、４３はパネル部とネック部とを連接するファンネル部、４４はシャドウマスク、４６はマスクフレーム、４７は磁気シールド、４８はマスク懸架機構、４９はインライン型電子銃、５０は偏向ヨーク、５１は外部補正磁気装置、１０ａは内部導電膜、５２は防爆バンド、５３はパネルピン、５４はマスク組立体、４５はステムピンである。
【００４１】
このカラー陰極線管はパネル部４１とネック部３２およびファンネル部４３とで真空外囲器５５を構成し、ネック部３２に収納された電子銃４９から発射された電子ビーム（センタービーム及び２本のサイドビーム）Ｂは偏向ヨーク５０で形成される水平および垂直偏向磁界によって蛍光体スクリーン４２を２次元に走査する。電子ビームＢはステムピン４５から供給される映像信号等の変調信号で強度変調され、蛍光体スクリーン４２の直前に設置されたシャドウマスク４４で色選択され、蛍光体スクリーン４２を構成するそれぞれの蛍光体（赤、緑、青）に射突して所定のカラー画像を再生する。インライン型電子銃４９は前記実施例で説明した構造の内蔵抵抗器を備えた電子銃である。
【００４２】
次に、図９は本発明のカラー陰極線管におけるイオンマイグレーションによるデンドライト発生の一例を説明するための電子銃部分の摸式側面図で、前述した各図と同じ部分には同一記号を付してある。図９において、内臓抵抗器１８の絶縁支持棹９側に配置され絶縁皮膜層２３で覆われた抵抗体層２０では、カラー陰極線管の動作開始と共に背面側に配置された導電体１６と対応する近傍でデンドライトＤＲが発生する。デンドライトＤＲは、動作時間の経過と共に成長し、その発生、成長の経緯は従来と同様である。
【００４３】
しかしながら、本発明では島状電極２１の電位は、引出線２２を介して中間引出し端子１４と接続して陽極電圧の略５０％程度の高電圧の中間電圧が印加されており、集束電極３に接続された導電体１６の電位より非常に高い電位となっている。又、導電体１６に対応するネック内壁の電位は、内壁３２ａに導電体１６の一部を蒸発させた金属薄膜１６ａが被着されているので、前記導電体１６の電位より若干高い程度の電位となる。そのため、導電体１６付近の電界は、中間引出し端子１４と接続されて前記中間電圧と略同電位の島状電極２１へと向いている。
【００４４】
このため、導電体１６と対応する近傍を起点として発生したデンドライトＤＲは、内臓抵抗器１８の周端部１８ａを高圧側、すなわち陽極１方向に向って成長するのではなく、島状電極２１へと向って成長する。しかし、内臓抵抗器１８は周端部１８ａを除き、抵抗体２０及び島状電極２１上を含めて前記絶縁皮膜層２３で覆われているため、動作時間の経過と共にデンドライトＤＲが成長してもこれが管内に露呈することは無い。従って、Ｂストレーの発生を防止でき、よってデンドライトの発生に伴うスパークの発生を皆無とすることができる。
【００４５】
ここで、前記島状電極２１の配置位置は前記絶縁基板１９の幅Ｗの略中央が望ましく、又電極形状も円形に限定されないことは勿論である。
【００４６】
なお、本発明は上記構成に限定されるものではなく、本発明の技術思想を逸脱することなく、種々の変更が可能であり、複数電子ビームを出射する電子銃を備えたカラー陰極線管に限らず、単一電子ビームを出射する、例えば投射型陰極線管、その他の内蔵抵抗器を有する電子銃を備えた各種の陰極線管にも同様に適用できる。
【図面の簡単な説明】
【００４７】
【図１】本発明のカラー陰極線管に実装される電子銃に用いられる内蔵抵抗器の一実施例の平面図である。
【図２】図１の背面図である。
【図３】図１のＡ−Ａ線断面図である。
【図４】図１のＢ−Ｂ線断面図である。
【図５】本発明のカラー陰極線管の一実施例を示すネック部の要部断面側面図である。
【図６】図５のネック部の管軸と直交する垂直方向断面図である。
【図７】図６のＣ部を拡大して示す断面図である。
【図８】本発明のカラー陰極線管の他の実施例の全体構成例を説明する模式断面図である。
【図９】本発明のカラー陰極線管におけるイオンマイグレーションによるデンドライト発生の一例を説明するための電子銃部分の摸式側面図である。
【図１０】従来の分圧用内蔵抵抗器を備えた電子銃の一例の模式側面図である。
【図１１】図１０の模式底面図である。
【符号の説明】
【００４８】
１〜８  電極
９  絶縁支持棹
１３、１４、１５  引出し端子
１６  導電体
１８  内蔵抵抗器
１９  絶縁基板
２０  抵抗体層
２１  島状電極
２２  引出線
２３ａ、２３ｂ  絶縁皮膜層
３２ａ  ネック部内壁面。
【図１】
2005093131.tif 000003
【図２】
2005093131.tif 000004
【図３】
2005093131.tif 000005
【図４】
2005093131.tif 000006
【図５】
2005093131.tif 000007
【図６】
2005093131.tif 000008
【図７】
2005093131.tif 000009
【図８】
2005093131.tif 000010
【図９】
2005093131.tif 000011
【図１０】
2005093131.tif 000012
【図１１】
2005093131.tif 000013